(57)【要約】【課題】簡易な構成で、配線基板との接続部位に関する電磁遮蔽を容易かつ確実に行うことを可能とする。【解決手段】相手コネクタ２との嵌合状態を維持する嵌合保持部材１４に設けたシールドプレート１４ｃを、相手コンタクト部材２２の基板接続脚部２２ａを外方側から覆って、両コネクタ１，２の嵌合時に嵌合保持部材１４を回動する作業と同時に基板接続脚部２２ａに対する電磁遮蔽（シールド）を直ちに行うとともに、嵌合保持部材１４に設けたグランド接続部１４ｃ３を、相手コンタクト部材２２の基板接続脚部２２ａの近傍位置に設けたグランド接続用の導電路Ｂ１に接続させることで良好な電磁遮蔽（シールド）特性を得つつ、基板接続脚部位２２ａにおける接続状態を良好に確認可能とする構成を採用したものである。【選択図】図２
2016081591.tif 000002
【特許請求の範囲】
【請求項１】
信号伝送媒体の端末部分がコネクタ本体部に連結された状態で、配線基板の表面上に実装された相手コネクタに嵌合されて使用されるものであって、
前記コネクタ本体部に取り付けられたコンタクト部材が前記信号伝送媒体に接続されるとともに、前記相手コネクタに取り付けられた相手コンタクト部材の基板接続脚部が前記配線基板に接続され、前記相手コネクタとの嵌合時に、前記コンタクト部材が前記相手コンタクト部材に接触することにより電気的な接続が行われる一方、
前記コネクタ本体部に回動可能に設けられた嵌合保持部材が、前記相手コネクタとの嵌合時に嵌合開放位置から嵌合作用位置まで回動されることによって、前記相手コネクタとの嵌合状態が維持されるように構成された電気コネクタにおいて、
前記嵌合保持部材には、当該嵌合保持部材が嵌合作用位置まで回動された際に、少なくとも前記相手コンタクト部材の基板接続脚部を覆うシールドプレートが設けられている一方、
前記配線基板の表面部分であって前記相手コンタクト部材の基板接続脚部が接続される部位の近傍位置にグランド接続用の導電路が形成され、
その配線基板のグランド接続用導電路に対して、前記嵌合保持部材に設けられたグランド接続部が、前記嵌合保持部材が嵌合作用位置まで回動された際に接触する構成になされたものであって、
前記嵌合保持部材のグランド接続部が、前記シールドプレートに対して一体的に連続するように形成されていることを特徴とする電気コネクタ。
【請求項２】
信号伝送媒体の端末部分が連結される第１コネクタと、配線基板の表面上に実装された状態で前記第１コネクタが嵌合される第２コネクタと、を備え、
前記第１コネクタに取り付けられた第１コンタクト部材が前記信号伝送媒体に接続されるとともに、前記第２コネクタに取り付けられた第２コンタクト部材の基板接続脚部が前記配線基板に接続され、前記第１及び第２コネクタ同士の嵌合時に、前記第１コンタクト部材が前記第２コンタクト部材に接触することにより電気的な接続が行われる一方、
前記第１コネクタに回動可能に設けられた嵌合保持部材が、前記第２コネクタとの嵌合時に嵌合開放位置から嵌合作用位置まで回動されることによって、前記第２コネクタとの嵌合状態が維持されるように構成された電気コネクタ装置において、
前記第１コネクタの嵌合保持部材には、当該嵌合保持部材が嵌合作用位置まで回動された際に、少なくとも前記第２コンタクト部材の基板接続脚部を覆うシールドプレートが設けられている一方、
前記配線基板の表面部分であって前記第２コンタクト部材の基板接続脚部が接続される部位の近傍位置にグランド接続用の導電路が形成され、
その配線基板のグランド接続用導電路に対して、前記嵌合保持部材に設けられたグランド接続部が、前記嵌合保持部材が嵌合作用位置まで回動された際に接触する構成になされたものであって、
前記嵌合保持部材のグランド接続部が、前記シールドプレートに対して一体的に連続するように形成されていることを特徴とする電気コネクタ装置。
【請求項３】
前記嵌合保持部材に設けられたグランド接続部が、前記配線基板に対して機械的結合手段により固定されるように構成されていることを特徴とする請求項１記載の電気コネクタ又は請求項２記載の電気コネクタ装置。
【請求項４】
前記グランド接続部が、前記グランド接続用の導電路に対して弾性的に接触する複数の板バネ状部材を備えているとともに、
前記機械的結合手段が、前記複数の板バネ状部材の間に挟まれて配置されていることを特徴とする請求項３記載の電気コネクタ又は電気コネクタ装置。
【請求項５】
前記シールドプレートが、前記配線基板の外方側から前記相手コンタクト部材又は前記第２コンタクト部材を覆うように形成されたものであって、
前記シールドプレートは、前記相手コンタクト部材又は前記第２コンタクト部材を外方側から覆う上面側シールドカバーと、その上面側シールドカバーから前記基板接続脚部の外方側を覆うように延出する背面側カバーと、を備えていることを特徴とする請求項１記載の電気コネクタ又は請求項２記載の電気コネクタ装置。
【請求項６】
前記相手コネクタ又は第２コネクタに、当該相手コネクタ又は第２コネクタの外表面を覆うシールドシェル部材が装着されたものであって、
前記シールドシェル部材と前記シールドプレートとにより、前記相手コンタクト部材又は前記第２コンタクト部材が前記配線基板の外方側から覆われる構成になされていることを特徴とする請求項１記載の電気コネクタ又は請求項２記載の電気コネクタ装置。
【請求項７】
前記前記相手コネクタ又は第２コネクタには、前記嵌合保持部材を嵌合作用位置に保持するロック部が設けられていることを特徴とする請求項１記載の電気コネクタ又は請求項２記載の電気コネクタ装置。
【発明の詳細な説明】
【技術分野】
【０００１】
本発明は、相手コネクタとの嵌合時に嵌合保持部材が回動されることによって相手コネクタとの嵌合状態が維持されるように構成された電気コネクタ及び電気コネクタ装置に関する。
【背景技術】
【０００２】
一般に各種電気機器等において、ＦＰＣ（フレキシブル・プリンテッド・サーキット）や、ＦＦＣ（フレキシブル・フラット・ケーブル）、或いは同軸ケーブル等からなる各種の信号伝送媒体の端末部分を印刷配線基板に接続するにあたって、電気コネクタ装置が広く用いられている。その電気コネクタ装置は、例えば印刷配線基板上に実装される第１コネクタ（リセプタクルコネクタ）に対して、同軸ケーブル等の信号伝送媒体が連結された第２コネクタ（プラグコネクタ）が挿入されるようにして両コネクタ同士の嵌合が行われる構成になされており、コネクタ本体部の内部に多極状をなすように配列された導電性のコンタクト部材（導電端子）を通して信号の伝送が行われるようになっている。
【０００３】
このような電気コネクタ装置においては、従来から、伝送信号に対する外部からの電磁波ノイズの影響を低減し、或いは外部に向かって放射される電磁波ノイズを低減するために、コネクタ本体部（絶縁ハウジング）の外表面やコンタクト部材の外方側を、薄板状金属部材からなる導電性シェルやシールドプレートで覆うことで電磁遮蔽（シールド）を行う構成がしばしば採用されている。
【０００４】
しかしながら、特に近年においては、伝送信号の更なる高周波化が図られるに従って、コンタクト部材（導電端子）の主体部分のみならず、配線基板との接続部位に対しても外部からの電磁波ノイズの影響をなくし、またそのコンタクト部材の接続部位からの電磁波ノイズの外部放射を確実に防止することが必要になりつつある。
【０００５】
なお、従来の電気コネクタ装置では、コンタクト部材と配線基板との接続部位に導電性のテープを貼り付けたものや、導電性シェルを延長して当該接続部位を覆うようにしたものもあるが、導電性テープを用いる場合にあっては、導電性テープを貼り付けるという比較的手間の掛かる作業工程が付加されるため生産性が低下する傾向となっている。また、例えば、第１コネクタ（リセコネクタ）の導電性シェルを延長して覆う場合にあっては、コンタクト部材と配線基板との接続部位が目視や画像検査等での確認ができなくなるおそれがあり、コンタクト部材等の接続作業が支障なく行われているか否かの検査・確認が難しくなるという問題がある。
【先行技術文献】
【特許文献】
【０００６】
【特許文献１】特開２００７−７３４２６号公報
【特許文献２】特開２０１１−２３８４１０号公報
【発明の開示】
【発明が解決しようとする課題】
【０００７】
そこで本発明は、簡易な構成で、配線基板との接続部位に関する電磁遮蔽を容易かつ確実に行うことができるようにした電気コネクタ及び電気コネクタ装置を提供することを目的とする。
【課題を解決するための手段】
【０００８】
上記目的を達成するため請求項１にかかる発明においては、信号伝送媒体の端末部分がコネクタ本体部に連結された状態で、配線基板の表面上に実装された相手コネクタに嵌合されて使用されるものであって、前記コネクタ本体部に取り付けられたコンタクト部材が前記信号伝送媒体に接続されるとともに、前記相手コネクタに取り付けられた相手コンタクト部材の基板接続脚部が前記配線基板に接続され、前記相手コネクタとの嵌合時に、前記コンタクト部材が前記相手コンタクト部材に接触することにより電気的な接続が行われる一方、前記コネクタ本体部に回動可能に設けられた嵌合保持部材が、前記相手コネクタとの嵌合時に嵌合開放位置から嵌合作用位置まで回動されることによって、前記相手コネクタとの嵌合状態が維持されるように構成された電気コネクタにおいて、前記嵌合保持部材には、当該嵌合保持部材が嵌合作用位置まで回動された際に、少なくとも前記相手コンタクト部材の基板接続脚部を覆うシールドプレートが設けられている一方、その配線基板のグランド接続用導電路に対して、前記嵌合保持部材に設けられたグランド接続部が、前記嵌合保持部材が嵌合作用位置まで回動された際に接触する構成になされたものであって、  前記嵌合保持部材のグランド接続部が、前記シールドプレートに対して一体的に連続するように形成された構成が採用されている。
【０００９】
また、請求項２にかかる発明においては、信号伝送媒体の端末部分が連結される第１コネクタと、配線基板の表面上に実装された状態で前記第１コネクタが嵌合される第２コネクタとを備え、前記第１コネクタに取り付けられた第１コンタクト部材が前記信号伝送媒体に接続されるとともに、前記第２コネクタに取り付けられた第２コンタクト部材の基板接続脚部が前記配線基板に接続され、前記第１及び第２コネクタ同士の嵌合時に、前記第１コンタクト部材が前記第２コンタクト部材に接触することにより電気的な接続が行われる一方、前記第１コネクタに回動可能に設けられた嵌合保持部材が、前記第２コネクタとの嵌合時に嵌合開放位置から嵌合作用位置まで回動されることによって、前記第２コネクタとの嵌合状態が維持されるように構成された電気コネクタ装置において、前記第１コネクタの嵌合保持部材には、当該嵌合保持部材が嵌合作用位置まで回動された際に、少なくとも前記第２コンタクト部材の基板接続脚部を覆うシールドプレートが設けられている一方、前記配線基板の表面部分であって前記第２コンタクト部材の基板接続脚部が接続される部位の近傍位置にグランド接続用の導電路が形成され、その配線基板のグランド接続用導電路に対して、前記嵌合保持部材に設けられたグランド接続部が、前記嵌合保持部材が嵌合作用位置まで回動された際に接触する構成になされたものであって、前記嵌合保持部材のグランド接続部が、前記シールドプレートに対して一体的に連続するように形成された構成が採用されている。
【００１０】
このような構成を備えた請求項１又は請求項２にかかる発明によれば、両コネクタの嵌合後に嵌合保持部材を嵌合開放位置から嵌合作用位置まで回動させることによって、嵌合保持部材に設けられたシールドプレートが、相手コンタクト部材又は第２コンタクト部材の基板接続脚部位を外方側から覆うことから、両コネクタの嵌合時に嵌合保持部材を回動する作業と同時に、配線基板との接続部位に対する電磁遮蔽（シールド）が直ちに行われるとともに、相手コンタクト部材又は第２コンタクト部材の基板接続脚部位の近傍に配置されたグランド接続用の導電路に嵌合保持部材のグランド接続部が接続され、電磁遮蔽を行う部位の近傍位置においてグランド接続が行われることから、良好な電磁遮蔽の特性が得られる。また、嵌合保持部材を嵌合作用位置まで回動するまでは、配線基板との接続部位が、嵌合保持部材のシールドプレートにより覆われることがないため、当該接続部位における接続状態が良好に確認される。
【００１１】
このとき、請求項３にかかる発明のように、前記嵌合保持部材に設けられたグランド接続部が、前記配線基板に対して機械的結合手段により固定されることが望ましい。さらに請求項４にかかる発明のように、前記グランド接続部が、前記グランド接続用の導電路に対して弾性的に接触する複数の板バネ状部材を備えているとともに、前記機械的結合手段が、前記複数の板バネ状部材の間に挟まれて配置されていることが望ましい。
【００１２】
このような構成を備えた本発明によれば、電磁遮蔽（シールド）を行うためのグランド接続が、機械的結合手段によって確実かつ強固に行われることとなり、電磁遮蔽（シールド）特性が一層向上される。
【００１３】
また、請求項５にかかる発明のように、前記シールドプレートが、前記配線基板の外方側から前記相手コンタクト部材又は前記第２コンタクト部材を覆うように形成されたものであって、前記シールドプレートは、前記相手コンタクト部材又は前記第２コンタクト部材を外方側から覆う上面側シールドカバーと、その上面側シールドカバーから前記基板接続脚部の外方側を覆うように延出する背面側カバーとを備えていることが望ましい。さらに、請求項６にかかる発明のように、前記相手コネクタ又は第２コネクタに、当該相手コネクタ又は第２コネクタの外表面を覆うシールドシェル部材が装着されたものであって、前記シールドシェル部材と前記シールドプレートとにより、前記相手コンタクト部材又は前記第２コンタクト部材が前記配線基板の外方側から覆われる構成になされていることが望ましい。
【００１４】
このような構成を備えた本発明によれば、シールドプレート単独、又はシールドシェル部材とシールドプレートとの双方によって、相手コンタクト部材又は第２コンタクト部材が外方側から覆われることから、当該相手コンタクト部材又は第２コンタクト部材に対する電磁遮蔽（シールド）特性が更に高められることとなる。
【００１５】
さらにまた、請求項７にかかる発明のように、前記相手コネクタ又は第２コネクタには、前記嵌合保持部材を嵌合作用位置に保持するロック部が設けられていることが望ましい。
【００１６】
このような構成を備えた本発明によれば、両コネクタ同士の嵌合状態がロック部により良好に保持される。
【発明の効果】
【００１７】
以上のように本発明は、相手コネクタ又は第２コネクタとの嵌合状態を維持する嵌合保持部材にシールドプレートを設け、そのシールドプレートによって相手コンタクト部材又は第２コンタクト部材の基板接続脚部を外方側から覆うことで、両コネクタの嵌合時に嵌合保持部材を回動する作業と同時に配線基板との接続部位に対する電磁遮蔽（シールド）を直ちに行うとともに、嵌合保持部材に設けたグランド接続部を、相手コンタクト部材又は第２コンタクト部材の基板接続部位の近傍位置に設けたグランド接続用の導電路に接続させ、電磁遮蔽を行う部位の近傍位置でグランド接続することにより、良好な電磁遮蔽特性を得つつ、基板接続部位における接続状態を良好に確認可能とする構成を採用したものであるから、簡易な構成で、配線基板との接続部位に関する電磁遮蔽を容易かつ確実に行うことができ、電気コネクタ及び電気コネクタ装置の信頼性を低廉かつ大幅に高めることができる。
【図面の簡単な説明】
【００１８】
【図１】本発明の一実施形態にかかるプラグコネクタ（第１コネクタ）を、相手コネクタとしてのリセプタクルコネクタ（第２コネクタ）に嵌合する前の状態における電気コネクタ装置を表した外観斜視説明図である。
【図２】図１の状態からプラグコネクタ（第１コネクタ）をリセプタクルコネクタ（第２コネクタ）に嵌合させた後の状態における電気コネクタ装置を表した外観斜視説明図である。
【図３】図２の「嵌合開放位置」にある嵌合保持部材を「嵌合作用位置」まで回動させた後の状態における電気コネクタ装置を表した外観斜視説明図である。
【図４】図３の「嵌合作用位置」にある嵌合保持部材を、機械的結合手段として固定ネジで締め付け固定した状態を表した外観斜視説明図である。
【図５】図４の両コネクタ同士が嵌合状態にある電気コネクタ装置を表した平面説明図である。
【図６】図４の両コネクタ同士が嵌合状態にある電気コネクタ装置を表した正面説明図である。
【図７】図４の両コネクタ同士が嵌合状態にある電気コネクタ装置を表した側面説明図である。
【図８】図４の両コネクタ同士が嵌合状態にある電気コネクタ装置を表した背面説明図である。
【図９】本発明の一実施形態にかかるプラグコネクタ（第１コネクタ）の全体構造を表した分解斜視説明図である。
【図１０】図１に表した両コネクタ同士を嵌合する前の状態における電気コネクタ装置の下段側同軸ケーブルの断面位置でのコネクタ長手方向に直交する方向の横断面説明図である。
【図１１】図１に表した両コネクタ同士を嵌合する前の状態における電気コネクタ装置の上段側同軸ケーブルの断面位置におけるコネクタ長手方向に直交する方向の横断面説明図である。
【図１２】図８に表すC−C線における横断面説明図である。
【図１３】図８に表すD−D線における横断面説明図である。
【発明を実施するための形態】
【００１９】
以下、複数本の同軸ケーブルを印刷配線基板側に接続する電気コネクタ及び電気コネクタ装置に本発明を適用した場合の実施形態に関する説明を図面に基づいて詳細に行う。
【００２０】
［電気コネクタ装置の全体構造の概要］
まず、図１〜図１３に表された本発明の一実施形態にかかる電気コネクタ装置は、信号伝送媒体を構成する同軸ケーブルＳＣの端末部分が連結された第１コネクタとしてのプラグコネクタ１と、印刷配線基板Ｂ上に実装された第２コネクタとしてのリセプタクルコネクタ２と、を備えた水平嵌合型の電気コネクタ装置であって、図１のようにプラグコネクタ（第１コネクタ）１が、嵌合の相手コネクタとしてのリセプタクルコネクタ（第２コネクタ）２に対して略水平方向に対向するように配置された後に、印刷配線基板Ｂの表面に沿ってリセプタクルコネクタ２側に近接するように水平に移動されることによって、図２のようにプラグコネクタ１の先端側部分が、リセプタクルコネクタ２の開口部を通して内部に差し込まれ、それによって両コネクタ１，２同士が嵌合状態になされる。
【００２１】
このように本実施形態においては、プラグコネクタ（第１コネクタ）１をリセプタクルコネクタ（第２コネクタ）２に差し込む方向、及びその反対方向に抜き出す方向が、印刷配線基板Ｂの表面の延在方向とほぼ一致する構成になされているが、以下において印刷配線基板Ｂの表面が延在する方向を水平方向とし、その印刷配線基板Ｂの表面に直交する方向を上下方向とする。また、プラグコネクタ１においては、当該プラグコネクタ１を、相手コネクタとしてのリセプタクルコネクタ２に差し込む方向を前方向とし、その反対方向に抜き出す方向を後方向とする。さらに、相手コネクタであるリセプタクルコネクタ２においては、当該リセプタクルコネクタ２から上記プラグコネクタ１を抜き出す方向を前方向とし、その反対方向を後方向とする。
【００２２】
このような電気コネクタ装置を構成しているプラグコネクタ（第１コネクタ）１、及びリセプタクルコネクタ（第２コネクタ）２の両コネクタは、細長状に形成された絶縁部材からなるコネクタ本体部としての絶縁ハウジング１１，２１をそれぞれ備えている。それら絶縁性の絶縁ハウジング（コネクタ本体部）１１，２１には、当該絶縁ハウジング１１，２１の長手方向（図７の紙面垂直方向）に沿って、コンタクト部材としての複数の導電コンタクト部材（導電端子）１２，２２が、適宜のピッチ間隔で多極状をなすように配列されている。
【００２３】
また、上述した両コネクタ１，２のうち、プラグコネクタ（第１コネクタ）１における後方側の端縁部（以下、後端縁部という。）には、コネクタ長手方向に沿って多極状に並列するように配列された複数本の同軸ケーブルＳＣの端末部分が、上下の２段にわたって連結されている。それら上段及び下段の両同軸ケーブルＳＣ，ＳＣ同士は、多極配列の方向（コネクタ長手方向）において互いに半ピッチだけ位置ズレした配置関係になされている。
【００２４】
そのような各同軸ケーブルＳＣの端末部分においては、図１０、および図１１に示される様に、被覆材が皮剥きされることによってケーブル中心導体（信号線）ＳＣａ、及びケーブル外部導体（シールド線）ＳＣｂが同軸状をなすように露出されている。そして、当該同軸ケーブルＳＣの中心軸線に沿うように配置されたケーブル中心導体ＳＣａが、信号伝送用の導電コンタクト部材（導電端子）１２，２２に接続されることによって信号回路が構成されるようになっている。このケーブル中心導体ＳＣａに関する接続構造については後段において詳細に説明する。
【００２５】
また、上述したケーブル中心導体ＳＣａの外周側を同心状に取り囲むように配置されたケーブル外部導体ＳＣｂは、上下２段の多極配列段ごとに、導電性のグランド部材を構成しているグランドバーＧＢの内部を貫通するように配置されている。本実施形態における上下２段の各グランドバーＧＢは、上述した同軸ケーブルＳＣの多極配列方向（コネクタ長手方向）に沿って長尺状に延在する細長ブロック状部材から形成されており、当該各グランドバーＧＢが、同軸ケーブルＳＣのケーブル外部導体（シールド線）ＳＣｂに対して、半田付けやカシメや圧接等により一括的に接続されている。このようにして設けられた上下２段の各グランドバーＧＢは、後述する導電性シェル等を介して印刷配線基板Ｂに形成されたグランド回路に接続される。
【００２６】
［絶縁ハウジング及び導電コンタクト部材］
一方、これらのプラグコネクタ（第１コネクタ）１、及びリセプタクルコネクタ（第２コネクタ）２の両電気コネクタは、前述したように導電コンタクト部材（導電端子）１２，２２の多極配列方向（コネクタ長手方向）に細長状に延在する細長状の絶縁ハウジング（コネクタ本体部）１１，２１をそれぞれ備えているが、これらの絶縁ハウジング１１，２１に取り付けられた導電コンタクト部材１２，２２は、前述した上下２段の同軸ケーブルＳＣ，ＳＣにそれぞれ対応して互いに形状が異なるように形成されており、多極配列方向（コネクタ長手方向）に隣接するもの同士の形状が互いに異なる２種類の導電コンタクト部材１２，２２が交互に配列された構成になされている。
【００２７】
ここで、プラグコネクタ１側に設けられた絶縁ハウジング１１は、上述したようにコネクタ長手方向（多極配列方向）に延在するように形成されているが、当該プラグコネクタ１の内部側に配置されてコネクタ本体部を形成している本体支持部１１ａと、その本体支持部１１ａから前方側に向かって延出するように設けられた嵌合突部１１ｂとを、一体的に備えた構成になされている。そして、その絶縁ハウジング１１の本体支持部１１ａから嵌合突部１１ｂにかけての内部には、上述した上下２段の両グランドバーＧＢ，ＧＢに接触するグランドコンタクトＧＣが埋設されている。
【００２８】
さらに、上述した絶縁ハウジング１１の本体支持部１１ａから嵌合突部１１ｂにかけての部位には、導電コンタクト部材（第１コンタクト部材）１２が、絶縁ハウジング１１の上下両表面の各々から露出する状態で、インサート成形または圧入により埋設されている。すなわち、２種類をなすように形成された導電コンタクト部材１２の一方側が、絶縁ハウジング１１の上側表面から上方に露出するようにして略水平に延在する状態で配置されているとともに（図１１及び図１３参照）、当該導電コンタクト部材１２の他方側が、絶縁ハウジング１１の下側表面から下方に露出するようにして略水平に延在する状態で配置されており（図１０及び図１２参照）、それら２種類の両導電コンタクト部材１２が、多極配列方向（コネクタ長手方向）に交互に配置されている。
【００２９】
このようなプラグコネクタ（第１コネクタ）１に設けられた各導電コンタクト部材（第１コンタクト部材）１２の後端部分には、上下２段の各同軸ケーブルＳＣにおけるケーブル中心導体（信号線）ＳＣａが、上下両側から当接された状態でそれぞれ半田接続されている。これらのケーブル中心導体ＳＣａと導電コンタクト部材１２との半田接合は一括的に行うことが可能であるが、このようにしてプラグコネクタ１の導電コンタクト部材１２に同軸ケーブルＳＣが連結される。
【００３０】
一方、前述したように絶縁ハウジング（コネクタ本体部）１１の前端側に設けられた嵌合突部１１ｂの上下両表面には、上述した導電コンタクト部材（第１コンタクト部材）１２の前方側部分を構成している端子電極部１２ａが、多極状の露出電極を形成するように配置されている。そして、この導電コンタクト部材１２の前方側延在部分を構成している端子電極部１２ａは、前述したようにプラグコネクタ（第１コネクタ）１がリセプタクルコネクタ（第２コネクタ）２に嵌合されたときに、リセプタクルコネクタ２に設けられた導電コンタクト部材（第２コンタクト部材）２２に当接することによって信号伝送回路が構成される。なお、これらの導電コンタクト部材１２，２２は、グランド接続用として構成することも可能である。
【００３１】
一方、リセプタクルコネクタ（第２コネクタ）２の絶縁ハウジング（コネクタ本体部）２１に装着された導電コンタクト部材（第２コンタクト部材）２２は、上述したプラグコネクタ（第１コネクタ）１側の２種類の導電コンタクト部材（第１コンタクト部材）１２に対応した２種類のものが多極状をなすように配列された構成になされている。すなわち、それら２種類の導電コンタクト部材２２のうちの一方は、上段側に配置された導電コンタクト部材１２の上方側に延出するように配置されているとともに（図１１及び図１３参照）、他方の導電コンタクト部材２２は、下段側に配置された導電コンタクト部材１２の下方側に延出するように配置されている（図１０及び図１２参照）。そして、それらリセプタクルコネクタ２側に設けられた２種類の導電コンタクト部材２２は、両電気コネクタ１，２同士の嵌合時に、プラグコネクタ１側の２種類の導電コンタクト部材１２に対して、上下の両側から弾性的に接触する構成になされている。
【００３２】
また、このリセプタクルコネクタ（第２コネクタ）２に設けられた導電コンタクト部材（第２コンタクト部材）２２の後端部分（図１０〜図１３の右方側）には、前述した印刷配線基板Ｂの表面上に沿って延在するように形成された基板接続脚部２２ａがそれぞれ設けられている。これらの基板接続脚部２２ａは、実際の使用時において、前述した印刷配線基板Ｂ上の信号導電路又はグランド接続用の導電路に載置されてから一括的に半田接合されることが可能である。
【００３３】
本実施形態における導電コンタクト部材（第２コンタクト部材）２２は、上述した後端側に配置された基板接続脚部２２ａから上方に向かって立ち上がるように折り曲げ成形されており、その立ち上がり部位における上端部分から前方側（図１０〜図１３の左方側）に向かって片持ち状に延在している。そして、当該導電コンタクト部材２２における前方側の先端部分には、上下の多極配列段ごとに下方側及び上方側に向かって山形状に張り出す接点凸部２２ｂがそれぞれ設けられている。これらの導電コンタクト部材２２に設けられた接点凸部２２ｂの下端側及び上方側の頂部は、前述したようにプラグコネクタ（第１コネクタ）１がリセプタクルコネクタ（第２コネクタ）２に嵌合されたときに、プラグコネクタ１側の導電コンタクト部材（第１コンタクト部材）１２の端子電極部１２ａに対して弾性的に接触されるように構成されている。そして、このような弾性的な接触関係により、上述した両接点部１２ａ，２２ｂ同士の電気的な接続が行われる。
【００３４】
［導電性シェル（シールドシェル部材）について］
一方、プラグコネクタ（第１コネクタ）１及びリセプタクルコネクタ（第２コネクタ）２に設けられた各絶縁ハウジング（コネクタ本体部）１１，２１の外表面は、薄板状金属部材を適宜の形状に折曲形成した導電性シェル（シールドシェル部材）１３及び２３によりそれぞれ覆われている。これらの導電性シェル１３，２３は、各コネクタ１，２の内部に形成される信号伝送回路及びグランド回路を覆うことによって電磁遮蔽性（シールド性）を持たせる部材として装着されたものであるが、グランド回路の一部を構成する部材でもある。
【００３５】
このとき、プラグコネクタ（第１コネクタ）１側に設けられた導電性シェル（シールドシェル部材）１３は、絶縁ハウジング（コネクタ本体部）１１を上下から挟む一対のシェル片部材の嵌合体から構成されており、当該導電性シェル１３の上半側部分及び下半側部分の両シェル片部材が、同軸ケーブルＳＣに対して両グランドバー（グランド部材）ＧＢ，ＧＢが半田接合された後に、絶縁ハウジング（コネクタ本体部）１１に対して上方側及び下方側から被せるようにして装着される。このような導電性シェル１３の両シェル片部材の上側表面及び下側表面には、多極配列方向であるコネクタ長手方向に沿って複数体のグランド接続舌片１３ａが切欠き形成されている。それらの各グランド接続舌片１３ａは、コネクタ内方側の空間に向かって斜め方向に突出する片持ちの板バネ状をなすように切り起こされており、前述したグランドバーＧＢの上面側に対して弾性的に接触又は半田接合されている。
【００３６】
［リセプタクルコネクタの導電性シェル（シールドシェル部材）］
これに対して、図１、および図２に示される様に、相手コネクタであるリセプタクルコネクタ（第２コネクタ）２に設けられた導電性シェル（シールドシェル部材）２３には、コネクタ長手方向の両端部分に外方側から挟むようにしてホールドダウン２３ａがそれぞれ設けられている。それらのホールドダウン２３ａは、コネクタ長手方向の片側部分において一対ずつ設けられており、それらの各ホールドダウン２３ａの下端縁部が、印刷配線基板Ｂ上に形成されたグランド接続用の導電路に対して半田接合され、それによってグランド回路の電気的な接続が行われるとともに、リセプタクルコネクタ２の全体が強固に固定されるようになっている。
【００３７】
また、上述したようにコネクタ長手方向の両端部分に配置された両ホールドダウン２３ａ，２３ａ同士は、絶縁ハウジング（コネクタ本体部）２１の上面に沿って平面状に延在する上側シェル板２３ｂによって一体的に連結されている。なお、このような構成を有する導電性シェル２３は、前述した絶縁ハウジング２１とともにコネクタ本体部を構成している。
【００３８】
［嵌合保持部材］
次に、図２から図４に示される様に、プラグコネクタ（第１コネクタ）１がリセプタクルコネクタ（第２コネクタ）２に嵌合された両コネクタ１，２同士の嵌合状態は、プラグコネクタ１に設けられた嵌合保持部材１４の保持力によって維持されるようになっている。なお、リセプタクルコネクタ２に嵌合したプラグコネクタ１を、リセプタクルコネクタ２から抜去する際においては、嵌合保持部材１４を開放させる操作が行われることによって両コネクタ１，２同士が抜去可能な状態になされる。
【００３９】
より具体的には、当該嵌合保持部材１４は、図９に示される様に、上述したプラグコネクタ（第１コネクタ）１の導電性シェル１３に回動可能に取り付けられており、その嵌合保持部材１４のコネクタ長手方向両端部分に設けられた回動軸部１４ａ，１４ａが、導電性シェル１３の後端部分のコネクタ長手方向両端部分に設けられた軸受け部１３ｄ，１３ｄに遊嵌状態で回動可能に挿入されている。この嵌合保持部材１４に設けられた一対の回動軸部１４ａ，１４ａは、横断面が略矩形状をなすように形成されており、当該各回動軸部１４ａの外周表面を構成しているいずれかの平坦面に対して、前記軸受け部１３ｄに設けられたバネ規制部材１３ｅの付勢力が付与されるように構成されている。そして、そのバネ規制部材１３ｅの付勢力によって、後述する「嵌合開放位置」及び「嵌合作用位置」に前記回動軸部１４ａが保持される構成になされている。
【００４０】
また、上述した回動軸部１４ａにおけるコネクタ長手方向両側の外端部分からは、一対の連結腕部１４ｂ，１４ｂが、回動半径方向にほぼ沿うようにして延出しており、それらの連結腕部１４ｂ，１４ｂの延出端部分である回動側の先端部分同士が、コネクタ長手方向に沿って板状をなすように延在するシールドプレート１４ｃにより一体的に連結されている。そして、そのシールドプレート１４ｃの一部を作業者が把持して適宜の回動力を付与することによって、嵌合保持部材１４の全体が、図１及び図２に示された「嵌合開放位置」と、図３〜図８に示された「嵌合作用位置」との間で回動されるようになっている。
【００４１】
この嵌合保持部材１４に設けられたシールドプレート１４ｃは、図３、および図７に示される様に、側面視において階段形状をなすように折り曲げられた形状になされており、嵌合保持部材１４が「嵌合作用位置」に回動された際に、前述したリセプタクルコネクタ（第２コネクタ）２の導電コンタクト部材（第２コンタクト部材）２２を上方側から覆う上面側シールドカバー１４ｃ１を備えている。その上面側シールドカバー１４ｃ１は、平板状をなすように延在しており、当該上面側シールドカバー１４ｃ１における回動半径の外方側の端縁部からは、背面側シールドカバー１４ｃ２が略直角に折れ曲がって一体的に延出している。この背面側シールドカバー１４ｃ２は、嵌合保持部材１４が「嵌合作用位置」に回動された際に、上述した上面側シールドカバー１４ｃ１の端縁部から下方に向かって延出している。
【００４２】
さらに、その嵌合保持部材１４が「嵌合作用位置」に回動された際における背面側シールドカバー１４ｃ２の下端縁には、略直角に折れ曲がってリセプタクルコネクタ２の後方側に向かって延出するグランド接続板１４ｃ３が一体的に連設されている。以下、これらシールドプレート１４ｃの各部の構成について詳細に説明する。
【００４３】
嵌合保持部材１４の一部を構成している上面側シールドカバー１４ｃ１は、上述した連結腕部１４ｂの回動半径における先端側部分から、リセプタクルコネクタ（第２コネクタ）２の後方側に向かって延出する平板状部材から形成されている。そして、当該上面側シールドカバー１４ｃ１におけるコネクタ長手方向の両端縁部分には、略直角に折れ曲がって下方に延出するロック板１４ｄ，１４ｄが一体的に連設されている。これらの両ロック板１４ｄ，１４ｄは、コネクタ長手方向において対面するように配置されており、それらの各ロック板１４ｄにロック係止穴１４ｅが貫通形成されている。そして、上述したように嵌合保持部材１４が「嵌合作用位置」に回動されてきた際に、それらの各ロック板１４ｄに貫通形成されたロック係止穴１４ｅが、リセプタクルコネクタ（第２コネクタ）２側に設けられたロック部に係合する構成になされている。
【００４４】
より詳細には、前述したようにリセプタクルコネクタ（第２コネクタ）２の導電性シェル２３に設けられた各ホールドダウン２３ａには、上述した「嵌合作用位置」に回動された嵌合保持部材１４のロック係止穴１４ｅが軽嵌合されるロック部２３ａ１がそれぞれ設けられている。これらの各ロック部２３ａ１は、コネクタ長手方向の外方に向かって張り出す板バネ状部材から形成されており、前述したようにプラグコネクタ１がリセプタクルコネクタ２に嵌合された後に嵌合保持部材１４が「嵌合作用位置」の近傍まで回動されてくると、当該嵌合保持部材１４に設けられたロック板１４ｄが、上述したロック部２３ａ１の外方張り出し部を乗り越えるようにして移動していく。そして、その嵌合保持部材１４のロック係止穴１４ｅの内部にロック部２３ａ１が落ち込むようにして弾性変位が行われることで係合状態となり、それによって嵌合保持部材１４の全体が「嵌合作用位置」に弾性的に保持される。
【００４５】
このように、プラグコネクタ１がリセプタクルコネクタ２に嵌合された状態で、嵌合保持部材１４を「嵌合開放位置」から「嵌合作用位置」まで回動させれば、両コネクタ１，２同士が、一定範囲内の外力によっては分離することなく嵌合状態に保持される。
【００４６】
さらに、上述したように嵌合保持部材１４のシールドプレート１４ｃを構成している上面側シールドカバー１４ｃ１は、一対の連結腕部１４ｂ，１４ｂの先端側部分同士の間において略平板状をなして延在するように設けられているが、特に図３及び図４に示されているように、両コネクタ１，２の嵌合時に嵌合保持部材１４が「嵌合作用位置」まで回動されたときにあっては、当該上面側シールドカバー１４ｃ１がリセプタクルコネクタ２の導電コンタクト部材（第２コンタクト部材）２２を上方側から覆う配置関係になされており、それによって伝送信号に対する電磁遮蔽（シールド）が行われる。このように上面側シールドカバー１４ｃ１は、導電コンタクト部材２２を上方側から覆う形状になされているとともに、当該上面側シールドカバー１４ｃ１のコネクタ長手方向における幅寸法が、導電コンタクト部材２２の多極配列の配置幅よりやや大きい長さとなるように設定されていることで、多極配列された複数の導電コンタクト部材２２の全体を上方側から覆う構造になされている。
【００４７】
また、前述したようにリセプタクルコネクタ（第２コネクタ）２に設けられた導電コンタクト部材（第２コンタクト部材）２２の後方側部分には、「嵌合作用位置」に回動された嵌合保持部材１４の背面側シールドカバー１４ｃ２が配置される構成になされている。この「嵌合作用位置」に回動された状態における背面側シールドカバー１４ｃ２は、導電コンタクト部材２２の基板接続脚部２２ａの先端部に近接した位置で、印刷配線基板Ｂの表面から上方に立ち上がるように配置されている。このように、導電コンタクト部材２２の基板接続脚部２２ａに近接した位置に背面側シールドカバー１４ｃ２が配置されて、当該導電コンタクト部材２２の基板接続脚部２２ａが、背面側シールドカバー１４ｃ２により外部と遮断されることによって、当該導電コンタクト部材２２の基板接続脚部２２ａに対する電磁遮蔽（シールド）が行われるようになっている。
【００４８】
また、本実施形態においては、プラグコネクタ（第１コネクタ）１のシールドプレート１４ｃを構成している上面側シールドカバー１４ｃ１及び背面側シールドカバー１４ｃ２に加えて、前述したようにリセプタクルコネクタ（第２コネクタ）２に設けられた導電性シェル２３のホールドダウン２３ａが、導電コンタクト部材（第２コンタクト部材）２２をコネクタ長手方向の両側から覆う構成になされている。すなわち、導電コンタクト部材２２の全体が、プラグコネクタ１側のシールドプレート１４ｃと、リセプタクルコネクタ２側の導電性シェル２３とにより覆われる構成になされており、それによって導電コンタクト部材２２に対する電磁遮蔽（シールド）が良好に行われるようになっている。
【００４９】
なお、両コネクタ１，２の嵌合時においては、導電コンタクト部材（第１コンタクト部材）１２の端子電極部１２ａと、導電コンタクト部材（第２コンタクト部材）２２の接点凸部２２ｂとが接続状態になされるが、当該接続部位に関しては、上述した導電性シェル１３，２３が外方側から覆う構成になされている。
【００５０】
さらに、上述した背面側シールドカバー１４ｃ２の下端縁から延出しているグランド接続板１４ｃ３は、本発明でいう「グランド接続部」を構成するものであって、シールドプレート１４ｃの一部を構成している背面側シールドカバー１４ｃ２に一体的に連続するように形成されており、上述したように嵌合保持部材１４が「嵌合作用位置」に回動された際に、印刷配線基板Ｂの表面に沿って延在する板状部材から形成されている。
【００５１】
このグランド接続板１４ｃ３には、印刷配線基板Ｂの表面上に形成されたグランド接続用の導電路Ｂ１に接触する複数（４体）の板バネ状部材１４ｃ４が形成されている。これらの各板バネ状部材１４ｃ４は、上述したグランド接続板１４ｃ３の一部を下方に向かって片持ち状に切り起こした弾性部材から形成されており、コネクタ長手方向に並列するように配置されている。
【００５２】
一方、上述した印刷配線基板Ｂの表面上には、リセプタクルコネクタ（第２コネクタ）２の導電コンタクト部材（第２コンタクト部材）２２に設けられた基板接続脚部２２ａの後方側近傍位置に、複数（４体）のグランド接続用の導電路Ｂ１が、コネクタ長手方向に並列するように形成されている。これらのグランド接続用の導電路Ｂ１は、上述したグランド接続板１４ｃ３の板バネ状部材１４ｃ４に対応した位置に設けられている。そして、前述したように嵌合保持部材１４が「嵌合作用位置」に回動された際に、各グランド接続用の導電路Ｂ１の上方から、グランド接続板１４ｃ３に設けられた板バネ状部材１４ｃ４が弾性的に接触する配置関係になされている。このようにグランド接続板１４ｃ３が、板バネ状部材１４ｃ４を介してグランド接続用の導電路Ｂ１に接触することでグランド回路が形成されることとなる。
【００５３】
また、前述したように嵌合保持部材１４に設けられたグランド接続板１４ｃ３のコネクタ長手方向における略中央部分には、機械的結合手段としての固定ネジ１５を挿入するためのグランド固定穴１４ｃ５が貫通形成されている。また、このグランド接続板１４ｃ３に設けられたグランド固定穴１４ｃ５の下方側に重なり合うようにして、印刷配線基板Ｂにも基板固定穴Ｂ２が貫通形成されている。
【００５４】
そして、嵌合保持部材１４が「嵌合作用位置」に回動された後に、グランド接続板１４ｃ３に設けられたグランド固定穴１４ｃ５に対して、固定ネジ（機械的結合手段）１５が上方側から挿入され、当該固定ネジ１５のネジ形成部分が、グランド接続板１４ｃ３を貫通して、印刷配線基板Ｂの基板固定穴Ｂ２に螺着されて、締め付け固定されるようになっている。このような固定ネジ１５の螺着による締め付け固定作用によって、上述したグランド接続板１４ｃ３の板バネ状部材１４ｃ４は、グランド接続用の導電路Ｂ１に対して強固に接触されることとなり、それによって電気的な接続性が高められている。
【００５５】
このとき、本実施形態における固定ネジ（機械的結合手段）１５は、コネクタ長手方向に隣接している板バネ状部材１４ｃ４，１４ｃ４同士の間部分に配置されており、これによって上述した固定ネジ１５の固定作用が、板バネ状部材１４ｃ４に対して効率的に伝達されることとなり、グランド接続用の導電路Ｂ１に対する板バネ状部材１４ｃ４の接触性が高められるようになっている。
【００５６】
このような構成を備えた本発明にかかる実施形態によれば、両コネクタ１，２の嵌合後に嵌合保持部材１４を「嵌合開放位置」から「嵌合作用位置」まで回動させることによって、嵌合保持部材１４に設けられたシールドプレート１４ｃが、リセプタクルコネクタ（第２コネクタ）の導電コンタクト部材（第２コンタクト部材）２２の基板接続脚部２２ａを外方側から覆うことから、両コネクタ１，２同士の嵌合時に嵌合保持部材１４を回動する作業と同時に、基板接続脚部２２ａに対する電磁遮蔽（シールド）が直ちに行われることとなる。
【００５７】
また、そのような電磁遮蔽（シールド）が行われると同時に、嵌合保持部材１４に設けられたグランド接続板（グランド接続部）１４ｃ３が、リセプタクルコネクタ（第２コネクタ）の導電コンタクト部材（第２コンタクト部材）２２の基板接続脚部２２ａの近傍に配置されたグランド接続用の導電路Ｂ１に接続されることから、電磁遮蔽を行う部位の近傍位置でグランド接続が行われることとなり、良好な電磁遮蔽の特性が得られる。
【００５８】
さらに、嵌合保持部材１４を「嵌合作用位置」まで回動するまでは、導電コンタクト部材（第２コンタクト部材）２２における配線基板Ｂとの接続部位である基板接続脚部２２ａが、嵌合保持部材１４のグランド接続板（グランド接続部）１４ｃ３に覆われることがないことから、当該基板接続脚部２２ａにおける接続状態が良好に確認される。
【００５９】
さらに、本実施形態においては、嵌合保持部材１４に設けられたグランド接続板１４ｃ３が、板バネ状部材１４ｃ４を介してグランド接続用の導電路Ｂ１に接続され、かつ固定ネジ（機械的結合手段）１５により固定されていることから、電磁遮蔽（シールド）を行うためのグランド接続が確実かつ強固に行われ、それによって電磁遮蔽（シールド）特性が一層向上されるようになっている。
【００６０】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００６１】
例えば、上述した実施形態では、相手コネクタであるリセプタクルコネクタ（第２コネクタ）２に導電性シェル２３が装着されているが、導電性シェルが装着されていない型式の相手コネクタを備えた電気コネクタ装置に対しても、本発明は同様に適用することができる。
【００６２】
すなわち、上述した実施形態では、シールドプレート１４ｃと、導電性シェル２３との双方によって、導電コンタクト部材２２の全体を印刷配線基板Ｂの外方側から覆う構成としているが、シールドプレート１４ｃが単独で導電コンタクト部材２２の全体を印刷配線基板Ｂの外方側から覆う構成とすることもできる。
【００６３】
さらに、上述した実施形態は、機械的結合手段としての固定ネジ１５をグランド固定穴１４ｃ５に挿入し、当該固定ネジ１５のネジ形成部分を印刷配線基板Ｂの基板固定穴Ｂ２に螺着させることで、グランド接続板１４ｃ３が締め付け固定されるようになされているが、これに限定するものではなく、他の各種機械的結合手段を同様に採用することが可能である。
【００６４】
例えば、グランド接続板１４ｃ３にグランド固定穴１４ｃ５を形成する替わりに、そのグランド固定穴１４ｃ５が形成された位置に、グランド接続板１４ｃ３から一体的に延びる弾性状のロック片を形成し、印刷配線基板Ｂの基板固定穴Ｂ２に係合させることで機械的結合手段とすることができる。この場合は、グランド接続板１４ｃ３に形成された板バネ状部材１４ｃ４がグランド接続用の導電路Ｂ１に付与する接触圧力よりも、ロック片の係合力を強固にすれば良い。
【００６５】
また、上述した実施形態における機械的結合手段は、板バネ状部材１４ｃ４，１４ｃ４同士の間部分に配置したが、これに限定するものでなく、当該板バネ状部材１４ｃ４，１４ｃ４を挟むように複数の機械的結合手段を設ければ良い。
【００６６】
さらにまた本発明は、上述した実施形態のような同軸ケーブル用コネクタに限定されることはなく、絶縁ケーブル用コネクタや、同軸ケーブルと絶縁ケーブルとが複数混合したタイプの電気コネクタや、フレキシブル配線基板等が連結される電気コネクタ、プリント基板同士を接続する基板対基板コネクタ等についても同様に適用することが可能である。
【産業上の利用可能性】
【００６７】
以上のように本実施形態は、各種電気機器に使用される多種多様な電気コネクタに対して広く適用することが可能である。
【符号の説明】
【００６８】
１  プラグコネクタ（第１コネクタ）
１１  絶縁ハウジング（コネクタ本体部）
１１ａ  本体支持部
１１ｂ  嵌合突部
１２  導電コンタクト部材（第１コンタクト部材）
１２ａ  端子電極部
１３  導電性シェル
１３ａ  グランド接続舌片
１３ｄ  軸受け部
１３ｅ  バネ規制部材
１４  嵌合保持部材
１４ａ  回動軸部
１４ｂ  連結腕部
１４ｃ  シールドプレート
１４ｃ１  上面側シールドカバー
１４ｃ２  背面側シールドカバー
１４ｃ３  グランド接続板（グランド接続部）
１４ｃ４板バネ状部材
１４ｃ５  グランド固定穴
１４ｄ  ロック板
１４ｅ  ロック係止穴
１５  固定ネジ（機械的結合手段）
ＧＢ  グランドバー
ＧＣ  グランドコンタクト
ＳＣ  同軸ケーブル（信号伝送媒体）
ＳＣａ  ケーブル中心導体（信号線）
ＳＣｂ  ケーブル外部導体（シールド線）
２  リセプタクルコネクタ（第２コネクタ）
２１  絶縁ハウジング（コネクタ本体部）
２２  導電コンタクト部材（第２コンタクト部材）
２２ａ  基板接続脚部
２２ｂ  接点凸部
２３  導電性シェル（コネクタ本体部）
２３ａ  ホールドダウン
２３ａ１  ロック部
２３ｂ  上側シェル板
Ｂ  印刷配線基板
Ｂ１  グランド接続用の導電路
Ｂ２  基板固定穴
【図１】
2016081591.tif 000003
【図２】
2016081591.tif 000004
【図３】
2016081591.tif 000005
【図４】
2016081591.tif 000006
【図５】
2016081591.tif 000007
【図６】
2016081591.tif 000008
【図７】
2016081591.tif 000009
【図８】
2016081591.tif 000010
【図９】
2016081591.tif 000011
【図１０】
2016081591.tif 000012
【図１１】
2016081591.tif 000013
【図１２】
2016081591.tif 000014
【図１３】
2016081591.tif 000015